(57)【要約】【課題】  デジタルカメラにワイドアスペクト比のモニタ画面を採用しワイドアスペクト比のモニタ画面の領域を有効に活用することによって前後の画像を確認しながら再生を行い、所望の画像を検索したり、鑑賞したりすることができるようにした、デジタルカメラ、表示方法、及びプログラムの提供  【解決手段】アスペクト比１２：９の表示領域Ｒ１に再生した本画像を表示し、その前後の画像を両側に表示する（図８（ａ））。また、表示領域Ｒ１に再生した本画像を表示し、その前後の画像を右側（表示領域Ｒ２、Ｒ３、Ｒ４）に縮小表示することもできる（図８（ｂ）、（ｃ））。なお、Ｒ２、Ｒ３、Ｒ４、・・・に表示する画像はサムネイル画像でもよいし、サムネイル画像と縮小画像をとり混ぜて表示するようにしてもよい。また、各表示画像はスクロール操作によりスクロールすることができる。【選択図】  図８
2006211078.tif 000002
【特許請求の範囲】
【請求項１】
所定のアスペクト比の画像を撮影して複数枚記録し、記録画像を再生可能なデジタルカメラにおいて、
前記所定のアスペクト比よりも大きいワイドアスペクト比のモニタ画面を有し、
再生時に、記録されている画像の中から選択した画像を前記ワイドアスペクト比のモニタ画面上の、前記所定のアスペクト比の領域に再生表示する手段と、
前記選択された画像の前後の画像を、複数枚、前記モニタ画面の残りの領域に前記所定のアスペクト比で表示する手段と、
を備えたことを特徴とするデジタルカメラ。
【請求項２】
前記前後の画像は、その一部が表示されることを特徴とする請求項１記載のデジタルカメラ。
【請求項３】
所定のアスペクト比の画像を撮影して複数枚記録し、記録画像を再生可能に構成され、前記所定のアスペクト比よりも大きいワイドアスペクト比のモニタ画面を有するデジタルカメラにおいて、
撮影した本画像と、本画像を縮小して得られた第１の縮小率の第１縮小画像と、本画像をより縮小して得られた第２の縮小率の第２縮小画像を記録する手段と、
再生時に、記録されている画像の中から選択した画像の前記第１縮小画像を前記ワイドアスペクト比のモニタ画面上の、前記所定のアスペクト比の領域に再生表示する手段と、
前記選択された画像の前後の第２縮小画像を、複数枚、該モニタ画面の残りの領域に表示する手段と、
を備えたことを特徴とするデジタルカメラ。
【請求項４】
所定のアスペクト比の画像を撮影して記録し、記録画像を再生可能に構成され、前記所定アスペクト比よりも大きいワイドアスペクト比のモニタ画面を有するデジタルカメラにおいて、
撮影した本画像と、その縮小画像であるサムネイルを記録する手段と、
再生時に、記録されている画像の中から選択した画像を前記モニタ画面上の所定アスペクト比の領域に再生表示する手段と、
前記選択した画像の前後の前記サムネイルを、該モニタ画面の残りの領域に表示する手段と、
を備えたことを特徴とするデジタルカメラ。
【請求項５】
所定のアスペクト比の画像を撮影して複数枚記録し、記録画像を再生可能なデジタルカメラにおいて、
前記所定のアスペクト比よりも大きいワイドアスペクト比のモニタ画面を有し、
再生時に、記録されている画像の中から選択した画像を前記ワイドアスペクト比のモニタ画面上の、前記所定のアスペクト比の領域に再生表示する手段と、
再生画像の前後の画像を縮小して、該モニタ画面の残りの領域に表示する手段と、
を備えたことを特徴とするデジタルカメラ。
【請求項６】
前記表示する手段は、前記選択した画像の前後の画像を前記モニタ画面上の、該選択した画像の両側に表示することを特徴とする請求項１乃至５のいずれか１項に記載のデジタルカメラ。
【請求項７】
前記表示する手段は、前記選択した画像の前後の画像を前記モニタ画面上の、該選択した画像の片側に複数枚表示することを特徴とする請求項１乃至５のいずれか１項に記載のデジタルカメラ。
【請求項８】
前記表示する手段は、前記選択した画像の前後の画像を前記モニタ画面上に複数枚表示するとともに、複数のサイズで表示することを特徴とする請求項１乃至５のいずれか１項に記載のデジタルカメラ。
【請求項９】
更に、前記モニタ画面に表示する複数の画像用に表示領域を設定する手段を備えたことを特徴とする請求項１乃至５のいずれか１項に記載のデジタルカメラ。
【請求項１０】
所定のアスペクト比の画像を撮影して複数枚記録し、記録画像を再生可能なデジタルカメラの表示方法において、
前記所定のアスペクト比よりも大きいワイドアスペクト比のモニタ画面を有し、
再生時に、記録されている画像の中から選択した画像を前記ワイドアスペクト比のモニタ画面上の、前記所定のアスペクト比の領域に再生表示し、
前記選択された画像の前後の画像を、複数枚、該モニタ画面の残りの領域に前記所定のアスペクト比で表示することを特徴とする表示方法。
【請求項１１】
前記前後の画像は、その一部が表示されることを特徴とする請求項１０記載の表示方法。
【請求項１２】
所定のアスペクト比の画像を撮影して複数枚記録し、記録画像を再生可能に構成され、前記所定のアスペクト比よりも大きいワイドアスペクト比のモニタ画面を有するデジタルカメラの表示方法において、
撮影した本画像と、本画像を縮小して得られた第１の縮小率の第１縮小画像と、本画像をより縮小して得られた第２の縮小率の第２縮小画像を記録し、
再生時に、記録されている画像の中から選択した画像の前記第１縮小画像を前記ワイドアスペクト比のモニタ画面上の、前記所定のアスペクト比の領域に再生表示し、
前記選択された画像の前後の第２縮小画像を、複数枚、該モニタ画面の残りの領域に表示することを特徴とする表示方法。
【請求項１３】
所定のアスペクト比の画像を撮影して複数枚記録し、記録画像を再生可能に構成され、前記所定アスペクト比よりも大きいワイドアスペクト比のモニタ画面を有するデジタルカメラの表示方法において、
撮影した本画像と、その縮小画像であるサムネイルを記録し、
再生時に、前記録されている画像の中から選択した画像を記モニタ画面上の所定アスペクト比の領域に前記本画像を再生表示し、
前記選択した画像の前後の前記サムネイルを、該モニタ画面の残りの領域に表示する、
ことを特徴とする特徴とする表示方法。
【請求項１４】
所定のアスペクト比の画像を撮影して複数枚記録し、記録画像を再生可能なデジタルカメラの表示方法において、
前記所定のアスペクト比よりも大きいワイドアスペクト比のモニタ画面を有し、
再生時に、記録されている画像の中から選択した画像を前記ワイドアスペクト比のモニタ画面上の、前記所定のアスペクト比の領域に再生表示し、
再生画像の前後の画像を縮小して、該モニタ画面の残りの領域に表示するようにしたことを特徴とするデジタルカメラの表示方法。
【請求項１５】
前記選択した画像の前後の画像は、前記モニタ画面上の、該選択した画像の両側に表示することを特徴とする請求項１０乃至１４のいずれか１項に記載の表示方法。
【請求項１６】
前記選択した画像の前後の画像は、前記モニタ画面上の、該選択した画像の片側に複数枚表示することを特徴とする請求項１０乃至１４のいずれか１項に記載の表示方法。
【請求項１７】
前記選択した画像の前後の画像は、前記モニタ画面上に複数枚表示するとともに、複数のサイズで表示することを特徴とする請求項１０乃至１４のいずれか１項に記載の表示方法。
【請求項１８】
前記複数の画像は、前記モニタ画面に設定された各表示領域に表示することを特徴とする請求項１０乃至１４のいずれか１項に記載の表示方法。
【請求項１９】
請求項１０乃至１８のいずれか１項に記載の表示方法をデジタルカメラのコンピュータに実行させるプログラム。
【請求項２０】
所定のアスペクト比の画像を撮影して複数枚記録し、記録画像を再生可能なデジタルカメラの表示方法において、
前記所定のアスペクト比よりも大きいワイドアスペクト比のモニタ画面を有し、
前記ワイドアスペクト比の画面を分割して複数の画像を再生表示し、キー操作によって画像をスクロールするものであって、
上下方向にスクロール操作すると画面上で上下方向に順に表示されている複数の画面間のみでスクロールを行うステップと、
左右方向にスクロール操作すると画面上で左右方向に順に表示されている複数の画面間のみでスクロールを行うステップと、
を備えたことを特徴とする表示方法。
【請求項２１】
所定のアスペクト比の画像を撮影して複数枚記録し、記録画像を再生可能なデジタルカメラの表示方法において、
前記所定のアスペクト比よりも大きいワイドアスペクト比のモニタ画面を有し、
前記ワイドアスペクト比の画面を分割して異なるサイズの複数の画像を再生表示し、キー操作によって画像をスクロールするものであって、
上下方向にスクロール操作すると画面上で上下方向に順に表示されている複数の画面間でスクロールを行うステップと、
左右方向にスクロール操作すると画面上で左右方向に順に表示されている複数の画面間でスクロールを行うステップと、
を備えたことを特徴とする表示方法。
【請求項２２】
画像を撮影して複数枚記録し、記録画像を再生可能なデジタルカメラの表示方法において、
モニタ画面を分割して異なるサイズの複数の画像を再生表示し、上下方向に複数の画像が順に表示される領域（Ｒｂ）と１画像のみが表示される領域（Ｒａ）があり、キー操作によって画像をスクロールする際、
上下方向にスクロール操作すると画面上で上下方向に順に表示されている領域（Ｒｂ）の複数の画面間でスクロールを行うステップと、
左右方向にスクロール操作すると画面上で左右方向に順に表示されている領域（Ｒｃ）の複数の画面間でスクロールを行うステップと、
を備えたことを特徴とする表示方法。
【請求項２３】
前記上下方向または左右方向に順に表示されている複数の画像は、その一部が表示されていることを特徴とする請求項２０乃至２２のいずれか１項に記載の表示方法。
【請求項２４】
前記上下方向または左右方向に順に表示されている複数の画像は、全体が縮小されて表示されていることを特徴とする請求項２０乃至２２のいずれか１項に記載の表示方法。
【請求項２５】
請求項２０乃至２４のいずれか１項に記載の表示方法をデジタルカメラのコンピュータに実行させるプログラム。
【発明の詳細な説明】
【技術分野】
【０００１】
本発明はデジタルカメラ、カメラ付き携帯電話などの撮像装置に関し、特に、横長液晶などのワイドアスペクト比のモニタ画面を備えたデジタルカメラ及びワイドアスペクト比のモニタ画面を活用した表示方法に関する。
【背景技術】
【０００２】
デジタルカメラやカメラ付き携帯電話において、撮像素子の画素数が１００万画素、２００万画素、・・・５００万画素、・・・と増大しつつあり、それに伴い画像を表示するモニタ画面も１．８インチ、２インチ、２．５インチ、・・・と大型化が進んでいる。テレビジョン受像機においてはアスペクト比が１６：９のいわゆるワイド画面が普及しているが、デジタルカメラやカメラ付き携帯電話においては４：３のアスペクト比が主流である。これは、撮像素子がワイド画面に対応していないので、表示だけワイド化してもあまり意味がないからであった。
【０００３】
ここで、ワイド画面を撮影できるようにするとともにワイド画面のモニタを設けた先行技術がある（例えば、特許文献１参照）。  
また、パノラマ表示のためにワイド画面のモニタを設けたものがある（例えば、特許文献２参照）。
【０００４】
他方、上述のとおり撮像素子の画素数が増大するに比例して使用するメモリ容量も増大し、最近ではハードディスク（ＨＤＤ）を備えたカメラも提案されている。このような大容量メモリに記憶された大量の画像ファイルは、再生時に、おける所望の画像ファイルの発見を困難にする。  
そこで、元画像を縮小したサンプル画像（サムネイル画像）を電子カメラの液晶モニタ画面に並べて表示することにより、所望の画像ファイルを見つけ出しやすくする工夫がなされている（たとえば、特許文献３参照）。
【０００５】
更に、モニタ画面に表示されるサムネイルのサイズを変える技術として、複数枚の画像を撮影して出力するデジタルカメラ等の撮影装置にあって、撮影された複数枚の画像データそれぞれの撮影倍率が異なる場合でも、各被写体の大きさの比率を実物の比率に合わせて再生するものがある（たとえば特許文献４参照）。
【特許文献１】特開平１１−４３９８号
【特許文献２】特開２００３−１８９１５３号
【特許文献３】特開平１１−２５２４８４号
【特許文献４】特開２０００−３６９２０号
【発明の開示】
【発明が解決しようとする課題】
【０００６】
特許文献１記載の技術は、１コマ１コマの画像をリアルタイムで自動的に張り合わせることが可能であり、ユーザのカメラ操作により得た広い視野角の映像から、ワイドでかつ高精細な静止画を作りあげるデジタルワイドカメラを実現するというものであるが、ワイドアスペクト比のモニタ画面のモニタ画面全面に画像を表示するため、ワイド画面の領域を有効に活用する工夫はなされていないといった課題があった。
【０００７】
また、特許文献２記載の技術は、パノラマ映像を撮影すると共に、ワイドアスペクト比のモニタ画面のディスプレイにおいてパノラマ画像を観察することを可能とし、立体感を確認しながら撮影することを可能とした撮像装置を提供するものであり、やはりワイドアスペクト比のモニタ画面のモニタ画面全面に画像を表示するため、ワイド画面の領域を有効に活用する工夫はなされていないといった課題があった。
【０００８】
特許文献３記載の技術は、複数の画像（サムネイル画像）を電子カメラの液晶モニタ画面に並べて表示することによって、所望の画像ファイルを見つけ出しやすくするというものであるが、“同一表示サイズ”の複数の画像を縦横方向に配列しているにすぎず、しかも、電子カメラの液晶モニタ画面の表示面積が数インチ程度と小さいこともあって、その画像の配列数は高々数個程度と少ないといった課題があった。また、ワイド画面の領域を有効に活用する工夫はなされていないという課題もあった。
【０００９】
特許文献４記載の技術は、撮影時のズーム比率とサムネイルのサイズを対応付けたものであり、検索を容易にするものではないという課題があった。またワイド画面の領域を有効に活用する工夫はなされていないという課題もあった。
【００１０】
本発明は上記事情に鑑みてなされたもので、デジタルカメラにワイド画面（ワイドアスペクト比のモニタ画面）を採用し、ワイドアスペクト比のモニタ画面の領域を有効に活用することによって前後の画像を確認しながら再生を行い、所望の画像を検索したり、鑑賞したりすることができるようにした、デジタルカメラ、表示方法、及びプログラムの提供を目的とする。
【課題を解決するための手段】
【００１１】
上記課題を解決するため、請求項１記載の発明では、所定のアスペクト比の画像を撮影して複数枚記録し、記録画像を再生可能なデジタルカメラにおいて、所定のアスペクト比よりも大きいワイドアスペクト比のモニタ画面を有し、再生時に、記録されている画像の中から選択した画像をワイドアスペクト比のモニタ画面上の、所定のアスペクト比の領域に再生表示する手段と、選択された画像の前後の画像を、複数枚、モニタ画面の残りの領域に所定のアスペクト比で表示する手段と、を備えたことを特徴とするデジタルカメラを提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像をモニタ画面の残りの領域に所定のアスペクト比で表示できるので、ユーザはワイドアスペクト比のモニタ画面の表示領域を活用することができる。
【００１２】
また、請求項２に記載の発明では、前後の画像は、その一部が表示されることを特徴とする請求項１記載のデジタルカメラを提供する。  
これにより、ユーザは、一部表示されている前後の画像を見て所望の画像を探したり、本画像が所望の画像であるか否かを確認することができる。
【００１３】
また、請求項３に記載の発明では、所定のアスペクト比の画像を撮影して複数枚記録し、記録画像を再生可能に構成され、所定のアスペクト比よりも大きいワイドアスペクト比のモニタ画面を有するデジタルカメラにおいて、撮影した本画像と、本画像を縮小して得られた第１の縮小率の第１縮小画像と、本画像をより縮小して得られた第２の縮小率の第２縮小画像を記録する手段と、再生時に、記録されている画像の中から選択した画像の第１縮小画像をワイドアスペクト比のモニタ画面上の、所定のアスペクト比の領域に再生表示する手段と、選択された画像の前後の第２縮小画像を、複数枚、該モニタ画面の残りの領域に表示する手段と、を備えたことを特徴とするデジタルカメラを提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像を縮小した縮小画像をモニタ画面の残りの領域に表示できるので、ワイドアスペクト比のモニタ画面の表示領域を有効に活用することができる。また、前後の画像をモニタ画面に表示する際に、予め作成し、記録しておいた縮小画像を表示できるので、デジタルカメラの処理速度を向上することができる。
【００１４】
また、請求項４に記載の発明では、所定のアスペクト比の画像を撮影して記録し、記録画像を再生可能に構成され、所定アスペクト比よりも大きいワイドアスペクト比のモニタ画面を有するデジタルカメラにおいて、撮影した本画像と、その縮小画像であるサムネイルを記録する手段と、再生時に、記録されている画像の中から選択した画像をモニタ画面上の所定アスペクト比の領域に再生表示する手段と、選択した画像の前後のサムネイルを、該モニタ画面の残りの領域に表示する手段とを備えたことを特徴とするデジタルカメラを提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像のサムネイルをモニタ画面の残りの領域に表示できるので、ユーザはワイドアスペクト比のモニタ画面の表示領域を有効に活用することができる。また、前後の画像をモニタ画面に表示する際に、予め作成し、記録しておいたサムネイルを表示するので、デジタルカメラの処理速度を向上することができる。
【００１５】
また、請求項５に記載の発明では、所定のアスペクト比の画像を撮影して複数枚記録し、記録画像を再生可能なデジタルカメラにおいて、所定のアスペクト比よりも大きいワイドアスペクト比のモニタ画面を有し、再生時に、記録されている画像の中から選択した画像をワイドアスペクト比のモニタ画面上の、所定のアスペクト比の領域に再生表示する手段と、再生画像の前後の画像を縮小して、該モニタ画面の残りの領域に表示する手段と、を備えたことを特徴とするデジタルカメラを提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像を縮小してモニタ画面の残りの領域に表示するので、ユーザはワイドアスペクト比のモニタ画面の表示領域を活用することができる。
【００１６】
また、請求項６に記載の発明では、表示する手段は、選択した画像の前後の画像をモニタ画面上の、該選択した画像の両側に表示することを特徴とする請求項１乃至５のいずれか１項に記載のデジタルカメラを提供する。  
これにより、ユーザは両側に表示されている画像が選択した画像の前後の画像であることが一目でわかり、前後の画像との関連を認識し易い。
【００１７】
また、請求項７に記載の発明では、表示する手段は、選択した画像の前後の画像をモニタ画面上の、該選択した画像の片側に複数枚表示することを特徴とする請求項１乃至５のいずれか１項に記載のデジタルカメラを提供する。  
これにより、前後の複数の画像について横長の縮小画像全体を表示できるので前後の画像が見やすい。
【００１８】
また、請求項８に記載の発明では、表示する手段は、選択した画像の前後の画像をモニタ画面上に複数枚表示するとともに、複数のサイズで表示することを特徴とする請求項１乃至５のいずれか１項に記載のデジタルカメラを提供する。  
これにより、選択した画像の表示サイズを前後の画像より大きくできるので、ワイドアスペクト比のモニタ画面を有効に利用することができる
【００１９】
また、請求項９に記載の発明では、更に、モニタ画面に表示する複数の画像用に表示領域を設定する手段を備えたことを特徴とする請求項１乃至５のいずれか１項に記載のデジタルカメラを提供する。  
これにより、ワイドアスペクト比のモニタ画面を任意に分割して表示領域を設定できるので、画像に応じたサイズの表示領域を設定でき、ワイドアスペクト比のモニタ画面を有効に利用することができる。
【００２０】
また、請求項１０に記載の発明では、所定のアスペクト比の画像を撮影して複数枚記録し、記録画像を再生可能なデジタルカメラの表示方法において、所定のアスペクト比よりも大きいワイドアスペクト比のモニタ画面を有し、再生時に、記録されている画像の中から選択した画像をワイドアスペクト比のモニタ画面上の、所定のアスペクト比の領域に再生表示し、選択された画像の前後の画像を、複数枚、該モニタ画面の残りの領域に所定のアスペクト比で表示することを特徴とする表示方法を提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像をモニタ画面の残りの領域に所定のアスペクト比で表示できるので、ユーザはワイドアスペクト比のモニタ画面の表示領域を有効に活用することができる。
【００２１】
また、請求項１１に記載の発明では、前後の画像は、その一部が表示されることを特徴とする請求項１０記載の表示方法を提供する。  
これにより、ユーザは、一部表示されている前後の画像を見て所望の画像を探したり、本画像が所望の画像であるか否かを確認することができる。
【００２２】
また、請求項１２に記載の発明では、所定のアスペクト比の画像を撮影して複数枚記録し、記録画像を再生可能に構成され、所定のアスペクト比よりも大きいワイドアスペクト比のモニタ画面を有するデジタルカメラの表示方法において、撮影した本画像と、本画像を縮小して得られた第１の縮小率の第１縮小画像と、本画像をより縮小して得られた第２の縮小率の第２縮小画像を記録し、再生時に、記録されている画像の中から選択した画像の第１縮小画像をワイドアスペクト比のモニタ画面上の、所定のアスペクト比の領域に再生表示し、選択された画像の前後の第２縮小画像を、複数枚、該モニタ画面の残りの領域に表示することを特徴とする表示方法を提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像を縮小した縮小画像をモニタ画面の残りの領域に表示できるので、ワイドアスペクト比のモニタ画面の表示領域を有効に活用することができる。また、前後の画像をモニタ画面に表示する際に、予め作成しておいた縮小画像を表示できるので、デジタルカメラの処理速度を向上することができる。
【００２３】
また、請求項１３に記載の発明では、所定のアスペクト比の画像を撮影して複数枚記録し、記録画像を再生可能に構成され、所定アスペクト比よりも大きいワイドアスペクト比のモニタ画面を有するデジタルカメラの表示方法において、撮影した本画像と、その縮小画像であるサムネイルを記録し、再生時に、録されている画像の中から選択した画像を記モニタ画面上の所定アスペクト比の領域に本画像を再生表示し、選択した画像の前後のサムネイルを、該モニタ画面の残りの領域に表示する、ことを特徴とする特徴とする表示方法を提供する。  
これにより、前後の画像をモニタ画面に表示する際に、予め作成しておいた縮小画像を表示できるので、デジタルカメラの処理速度を向上することができる。
【００２４】
また、請求項１４に記載の発明では、所定のアスペクト比の画像を撮影して複数枚記録し、記録画像を再生可能なデジタルカメラの表示方法において、所定のアスペクト比よりも大きいワイドアスペクト比のモニタ画面を有し、再生時に、記録されている画像の中から選択した画像をワイドアスペクト比のモニタ画面上の、所定のアスペクト比の領域に再生表示し、再生画像の前後の画像を縮小して、該モニタ画面の残りの領域に表示するようにしたことを特徴とするデジタルカメラの表示方法を提供する。  
これにより、デジタルカメラは、再生時に、記録されている画像の中から選択した画像をワードアスペクト比のモニタ画面の所定のアスペクト比（撮影画像＝本画像のアスペクト比）の領域に表示し、前後の画像を縮小してモニタ画面の残りの領域に表示するので、ユーザはワイドアスペクト比のモニタ画面の表示領域を活用することができる。
【００２５】
また、請求項１５に記載の発明では、選択した画像の前後の画像は、モニタ画面上の、該選択した画像の両側に表示することを特徴とする請求項１０乃至１４のいずれか１項に記載の表示方法を提供する。  
これにより、ユーザは両側に表示されている画像が選択した画像の前後の画像であることが一目でわかり、前後の画像との関連を認識し易い。
【００２６】
また、請求項１６に記載の発明では、選択した画像の前後の画像は、モニタ画面上の、該選択した画像の片側に複数枚表示することを特徴とする請求項１０乃至１４のいずれか１項に記載の表示方法を提供する。  
これにより、前後の複数の画像について横長の縮小画像全体を表示できるので前後の画像が見やすい。
【００２７】
また、請求項１７に記載の発明では、選択した画像の前後の画像は、モニタ画面上に複数枚表示するとともに、複数のサイズで表示することを特徴とする請求項１０乃至１４のいずれか１項に記載の表示方法を提供する。  
これにより、選択した画像の表示サイズを前後の画像より大きくできるので、ワイドアスペクト比のモニタ画面を有効に利用することができる。
【００２８】
また、請求項１８に記載の発明では、複数の画像は、モニタ画面に設定された各表示領域に表示することを特徴とする請求項１０乃至１４のいずれか１項に記載の表示方法を提供する。  
これにより、画像に応じたサイズの表示領域に画像を表示できるので、ワイドアスペクト比のモニタ画面を有効に利用することができる。
【００２９】
また、請求項１９に記載の発明では、請求項１０乃至１８のいずれか１項に記載の表示方法をデジタルカメラのコンピュータに実行させるプログラムを提供する。  
これにより、デジタルカメラは記録されている撮影画像のうち選択された画像を再生してワイドアスペクト比のモニタ画面上に表示し、更に、関連する複数の画像をモニタ画面上の残りの表示領域にそれぞれ表示する。
【００３０】
また、請求項２０に記載の発明では、所定のアスペクト比の画像を撮影して複数枚記録し、記録画像を再生可能なデジタルカメラの表示方法において、所定のアスペクト比よりも大きいワイドアスペクト比のモニタ画面を有し、ワイドアスペクト比の画面を分割して複数の画像を再生表示し、キー操作によって画像をスクロールするものであって、上下方向にスクロール操作すると画面上で上下方向に順に表示されている複数の画面間のみでスクロールを行うステップと、左右方向にスクロール操作すると画面上で左右方向に順に表示されている複数の画面間のみでスクロールを行うステップと、を備えたことを特徴とする表示方法を提供する。  
これにより、ユーザは、上下左右のスクロール操作を行いながら、前後の画像を確認して再生を行い、所望の画像を探したり、鑑賞したりすることができる。
【００３１】
また、請求項２１に記載の発明では、所定のアスペクト比の画像を撮影して複数枚記録し、記録画像を再生可能なデジタルカメラの表示方法において、所定のアスペクト比よりも大きいワイドアスペクト比のモニタ画面を有し、ワイドアスペクト比の画面を分割して異なるサイズの複数の画像を再生表示し、キー操作によって画像をスクロールするものであって、上下方向にスクロール操作すると画面上で上下方向に順に表示されている複数の画面間でスクロールを行うステップと、左右方向にスクロール操作すると画面上で左右方向に順に表示されている複数の画面間でスクロールを行うステップと、を備えたことを特徴とする表示方法を提供する。  
これにより、ユーザは、上下左右のスクロール操作を行いながら、サイズの異なる前後の画像を確認して再生を行い、所望の画像を探したり、鑑賞したりすることができる。
【００３２】
また、請求項２２に記載の発明では、画像を撮影して複数枚記録し、記録画像を再生可能なデジタルカメラの表示方法において、モニタ画面を分割して異なるサイズの複数の画像を再生表示し、上下方向に複数の画像が順に表示される領域（Ｒｂ）と１画像のみが表示される領域（Ｒａ）があり、キー操作によって画像をスクロールする際、上下方向にスクロール操作すると画面上で上下方向に順に表示されている領域（Ｒｂ）の複数の画面間でスクロールを行うステップと、左右方向にスクロール操作すると画面上で左右方向に順に表示されている領域（Ｒｃ）の複数の画面間でスクロールを行うステップと、を備えたことを特徴とする表示方法を提供する。  
これにより、ユーザは、上下左右のスクロール操作を行いながら、複数の画像を確認して再生を行い、所望の画像を探したり、鑑賞したりすることができる。
【００３３】
また、請求項２３に記載の発明では、上下方向または左右方向に順に表示されている複数の画像は、その一部が表示されていることを特徴とする請求項２０乃至２２のいずれか１項に記載の表示方法を提供する。  
これにより、余白に多くの画像を表示できるので、ワイドアスペクト比のモニタ画面の表示領域を有効に活用することができる。また、ユーザは本画像と一部が表示されている複数の画像との関連を確認して所望の画像を探したり、鑑賞したりすることができる。
【００３４】
また、請求項２４に記載の発明では、上下方向または左右方向に順に表示されている複数の画像は、全体が縮小されて表示されていることを特徴とする請求項２０乃至２２のいずれか１項に記載の表示方法を提供する。  
これにより、デジタルカメラの処理速度を向上することができる。
【００３５】
また、請求項２５に記載の発明では、請求項２０乃至２４のいずれか１項に記載の表示方法をデジタルカメラのコンピュータに実行させるプログラムを提供する。  
これにより、デジタルカメラは、上下左右のスクロール操作により、記録されている前後の画像を再生する。
【発明の効果】
【００３６】
本発明によれば、再生時に、記録されている画像の中から選択した画像を表示するときに、ワイドアスペクト比のモニタ画面の領域を有効に活用することによって前後の画像を確認しながら再生を行い、所望の画像を探したり、鑑賞したりすることができる。
また、請求項３、４、１０または１２に記載の発明では、前後の画像をモニタ画面に表示する際に、予め作成しておいた縮小画像を表示するので、処理速度を向上することができるとともに、ワイドアスペクト比のモニタ画面の領域を有効に活用することによって前後の画像を確認しながら再生を行い、所望の画像を探したり、鑑賞したりすることができる。
【発明を実施するための最良の形態】
【００３７】
（実施形態１）  
図１はデジタルカメラ１の外観図であり、図１（ａ）、（ｂ）は、デジタルカメラ１の正面図及び背面図、図１（ｃ）は、デジタルカメラ１の底面側斜視図である。  
これらの図において、デジタルカメラ１は、箱形の本体２の前面に沈胴式のレンズ鏡筒３、ストロボ発光窓４、ファインダ前面窓５及び収音穴６などを配置すると共に、本体２の上面に電源スイッチ７及びシャッターボタン８などを配置し、さらに、本体２の背面にファインダ後面窓９、撮影モード／再生モード切換ボタン１０、ズームキー１１、ＭＥＮＵボタン１２、カーソルキー（上下左右方向移動ボタン）１３、ＳＥＴボタン１４、ＤＩＳＰボタン１５、拡声穴１６及び液晶モニタ１７などを配置し、加えて、本体２の底面に蓋１８を設け、この蓋１８を開くことによって本体２の内部に実装されたバッテリ１９や大容量の記憶媒体２０（たとえば、カード型フラッシュメモリ（ＣＦ）(Compact Flash)やカード型ハードディスク（ＨＤＤ）(Hard Disk Drive)など）を着脱できるようになっている。
【００３８】
液晶モニタ１７は、例えばアスペクト比１６：９のワイドアスペクト比のモニタ画面を有している。後述する撮像素子はアスペクト比４：３（１２：９）の画像を作成するので、通常の画像表示時には余りの領域ができる。そこで、通常の画像表示時に画像を引き伸ばして全面表示してもよいし、余りの領域に日付や画素数などの情報表示を行ってもよい。
【００３９】
図１（ｂ）において、ＭＥＮＵボタン１２は各種メニューを表示させるためのもので、撮影モード時に操作すると、撮影画素数の設定、撮影画質（圧縮率の低い（画質の高い）方からファイン、ノーマル、エコノミー）の設定、静止画／動画／音声録音の切換、セルフタイマー、ストロボ、ホワイトバランスなどの各種撮影条件の設定を行うことができる。また再生モード時に操作すると、画面の自動送り（スライドショー）、プロテクトの設定、印刷枚数の設定（ＤＰＯＦ）(Digital Print Order Format)、画像の回転、トリミング、リサイズなどの設定を行うことができる。
【００４０】
また、同図においてＤＩＳＰボタン１５は、液晶モニタ画面上に各種情報を表示するためのもので、画素数、画質、静止画／動画／音声の区別、日付、時間、電池残量、メモリ残量などを表示する。もう一度ＤＩＳＰボタンを押すと情報表示は消えて画像表示だけとなる。
【００４１】
図２は、デジタルカメラ１の内部ブロック図である。この図において、デジタルカメラ１は、機能別に、音声入力系２１、撮像系２２、制御系２３、音声出力系２４、画像ファイル記憶系２５、表示系２６及び操作系２７などに分類することができる。
【００４２】
これらの系毎に説明すると、音声入力系２１は、本体前面の収音穴６の近くに配置されたマイク２８と、このマイク２８で拾った音を増幅するアンプ２９と、アンプ２９で増幅されたアナログの音声信号をデジタル信号に変換するＡ／Ｄ変換部３０と、デジタル変換された音声信号を一時的に記憶する音声メモリ３１とを備えている。
【００４３】
撮像系２２は、本体前面のレンズ鏡筒３に収められたズーム機能及びオートフォーカス機能付の撮影レンズ群３２と、この撮影レンズ群３２を通過した被写体像を二次元の画像信号に変換するＣＣＤ（Charge Coupled Devices）やＣＭＯＳ（Complementary Metal Oxide Semiconductor）などからなる電子撮像部３３と、この電子撮像部３３からの画像信号に対して所要の画像処理を施す映像処理部３４と、画像処理後の画像信号を一時的に記臆する画像メモリ３５とを備えるとともに、レンズ鏡筒３の不図示のフォーカス機構を駆動するフォーカス駆動部３６と、同ズーム機構を駆動するズーム駆動部３７と、本体前面のストロボ発光窓４に設けられたストロボ発光部３８と、このストロボ発光部３８を駆動するストロボ駆動部３９と、これらの各部（電子撮像部３３、映像処理部３４、フォーカス駆動部３６、ズーム駆動部３７、ストロボ駆動部３９）を制御するための撮影制御部４０とを備えている。
【００４４】
制御系２３は、上記の各系を制御してデジタルカメラ１の動作を集中的にコントロールする制御回路（ＣＰＵ）４１と、このＣＰＵ４１の動作に必要な各種プログラムやデータを不揮発的に記憶するプログラムメモリ４２と、画像データ記憶用の内蔵フラッシュメモリ（データメモリ）４３とを備えている。
【００４５】
音声出力系２４は、ＣＰＵ４１から適宜に出力される音声データをアナログの音声信号に変換するＤ／Ａ変換部４４と、この音声信号を増幅するアンプ４５と、増幅された音声信号を拡声するために本体背面の拡声穴１６の近くに設けられたスピーカ４６とを備えている。
【００４６】
画像ファイル記憶系２５は、インターフェース部４７と、このインターフェース部４７に着脱可能に接続される記憶媒体２０とを備えている。
【００４７】
表示系２６は、ＣＰＵ４１から適宜に出力される表示データを一時的に保持するビデオメモリ（ＶＲＡＭ）４８を含む表示制御部４９と、表示制御部４９の出力信号を表示する液晶モニタ１７とを備えている。
【００４８】
操作系２７は、本体２の各部に設けられた様々な操作ボタン類、すなわち、シャッターボタン８、撮影モード／再生モード切換ボタン１０、ズームキー１１、ＭＥＮＵボタン１２、カーソルキー（上下左右方向移動ボタン）１３、ＳＥＴボタン１４、ＤＩＳＰボタン１５を含む操作入力部５０と、この操作入力部５０からの操作信号をＣＰＵ４１に入力するための入力回路５１とを備えている。
【００４９】
図３は撮像素子から表示モニタ画面までのデータの流れを示す図である。前記電子撮像部３３のＣＣＤ、ＣＭＯＳなどの撮像素子は多数のフォトダイオードの前面にフィルターを備えることで色を得ている。このフィルターには「原色フィルター」と「補色フィルター」の2種類があり、原色フィルターはR（Red）、G（Green）、B（Blue）、補色フィルターはC（Cyan）、M（Magenta）、Y（Yellow）からなる。一般に３００万画素、５００万画素、・・・と呼ばれる画素数は、フォトダイオードの数である。
【００５０】
フォトダイオードがチャージした電荷は映像信号処理部３４でＡ／Ｄ変換され、撮像素子の画素に対応したベイヤーデータの形でいったん保持し、信号処理により輝度、色差マルチプレクス信号（Ｙ，Ｃｂ，Ｃｒデータ、Ｙ，Ｕ，Ｖともいう）を得る。そのＹ，Ｕ，Ｖデータ（以下、画像データ）が画像メモリ３５に記憶される。
【００５１】
画像の画素数構成としては、一般的に２５６０×１９２０、２０４８×１５３６、１６００×１２００、１０２４×７８６、８００×６００、６４０×４８０などが知られている。本実施の形態では、画像メモリ３５に記憶される画像データは、例えば輝度（Ｙ）データが１６００×１２００画素で構成され、色差（Ｕ，Ｖ）データがそれぞれ８００×６００画素で構成される。これは輝度信号のほうが人間の目に捉えられやすいため色差信号の情報量を減らしているためであるが、もちろん同数でもよい。このように構成された画像データを液晶モニタ１７に表示するために、演算により液晶モニタ１７の表示画素数に合わせたＲＧＢデータを作成しＶＲＡＭ４８に書き込む。従って撮像素子の画素数と液晶モニタ画面の表示画素数は直接の対応関係はない。
【００５２】
液晶モニタ１７は各表示画素にＲＧＢのカラーフィルターを有しており、図４（ａ）に示すようなデルタ配列や図４（ｂ）のストライプ配列が一般的である。
【００５３】
液晶モニタ１７はワイドアスペクト比のモニタ画面で構成されており、画素数が６４０×３６０画素とすると、ストライプ配列の場合は横方向に６４０×３（Ｒ、Ｇ、Ｂ）画素が配列され、縦方向に３６０画素が配列されている。また、デルタ配列の場合は横方向に６４０画素、縦方向に３６０画素配列されている。デルタ配列は表示画素数が１／３となるが、色再現性は高い。
【００５４】
液晶モニタ１７は１６：９のワイドアスペクト比のモニタ画面であるが、撮影されて作成される画像データは１６００×１２００画素の４：３のアスペクト比なので、画像メモリ３５は４：３の画像を記憶するよう構成されている。  
前記図３の画像メモリ３５のメモリ構成はデルタ配列の場合であるが、ストライプ配列の場合は図５（ａ）に示すようにＲ、Ｇ、Ｂそれぞれ１００×１２００画素の画像メモリを有する。液晶モニタ画面が１６００×３×１２００画素あれば、それをそのまま供給すればよく、本実施の態様のように液晶モニタ１７が６４０×３６０画素であれば図５（ｂ）に示すように適宜間引いて供給する。デルタ配列の場合は画像データをＹ，Ｕ，Ｖデータの形で保存し、表示時に演算によりＲＧＢデータを作成して直接表示制御部４９に送出する。
【００５５】
表示制御部３４内には６４０×３６０画素のＶＲＡＭ（表示バッファ）４８が備えられており、表示データはこのＶＲＡＭ４８に作成される。つまり液晶モニタ１７はこのＶＲＡＭ４８のデータをそのまま表示している。従って画像データが４：３の分しかなくても、ＶＲＡＭ４８は液晶モニタ１７に対応する画素数を有し、表示しない領域は例えば黒が書き込まれる。
【００５６】
ＪＰＥＧ(Joint Photographic Coding Experts Group)圧縮はＣＰＵ４１で行う。画像メモリ３５の画像データＹ，Ｕ，ＶそれぞれについてＪＰＥＧ圧縮を行い圧縮されたJPEG-Y,JPEG-U,JPEG-Vを一旦データメモリ４３に記憶した後、ＣＦ若しくはＨＤＤ２０に転送し保存する。
【００５７】
また、４８０×３６０画素の縮小画像も、１６０画素×１２０画素のサムネイルもそれぞれＪＰＥＧ圧縮されて一旦データメモリ４３に記憶した後、ＣＦ若しくはＨＤＤ２０に転送記憶し、前記本画像と関連付けて保存される。
【００５８】
図６はＣＦ若しくはＨＤＤ２０に保存される画像データの状態を示す図である。符号１００はＪＰＥＧ圧縮された画像のフォルダを示し、本画像１０１と、それを縮小した縮小画像１０２及びサムネイル１０３を有する（図６（ａ））。サムネイル１０３は他のデジタルカメラと互換性を保つために共通の規格で定められた縮小画像であり、縮小画像１０２は任意の縮小率で本画像を縮小した画像であって、一般的にサムネイルよりは大きく、例えばモニタ画面のモニタ画面のサイズとほぼ一致する。また、サムネイルは画面を分割して複数画像をマルチ画面表示するときのサイズとほぼ一致することが多い。なお、ヘッダ１０４には、ファイル名、画素数、撮影日時、撮影条件等の情報が記憶される。
【００５９】
液晶モニタ１７には通常は縮小画像１０２を表示している。縮小画像１０２は本画像１０１を縮小したものであるから、基本的に補間処理を行っていないので画質の劣化は無い。ただし縮小するために間引き等を行って情報量が減っているので本画像の画質を表現できてはいない。  
再生時に拡大指示があると、縮小画像１０２を拡大して表示する場合と本画像１０１を縮小して表示する場合があるが、ここでは本画像１０１を縮小する場合を例にとって説明する。  
【００６０】
例えば、図６（ｂ）に示すように、本画像１０１が１６００×１２００画素とし、液晶モニタ１７の表示サイズが４８０×３６０画素、縮小画像１０２のサイズが４８０×３６０画素であるとし更にサムネイルのサイズが１６０×１２０画素であるとする。液晶モニタ１７に表示するには縮小画像１０２をそのまま表示すればよく、３×３個の９分割されたマルチ画面表示を行うにはサムネイルをそのまま表示すればよい。なお、液晶モニタ１７の構成上、例えば３３０×２２０画素のように記憶されている画像の画素数と合わない場合があるが、そういう場合は適宜補間等の処理を行って画素数を合わせる。
また、拡大指示は、再生モード時にズームキー１１が操作されると再生表示している画像を拡大／縮小する。
【００６１】
図７は、従来技術による再生画像表示方法の一実施例を示す図であり、従来は、図示のように１枚目の撮影画像、２枚目の撮影画像、３枚目の撮影画像、・・・といったようにアスペクト比４：３の本画像を１枚ずつ表示していた。
【００６２】
図８はワイドＬＣＤを備えたデジタルカメラ１の液晶モニタ１７上に設定した表示領域の実施例のいくつかを示す図であり、図８（ａ）はアスペクト比１２：９の本画像表示領域Ｒ１を画面の中央に設定し、その両側にＲ１より小さい所定のアスペクト比の表示領域Ｒ２、Ｒ３を設けた例である。また、図８（ｂ）はアスペクト比１２：９の表示領域Ｒ１を画面の（向かって）左側に設定し、その右側にＲ１より小さい所定のアスペクト比の表示領域Ｒ２、Ｒ３を設けた例であり、図８（ｃ）はアスペクト比１２：９の表示領域Ｒ１の右側にＲ１より小さい所定のアスペクト比の表示領域Ｒ２、Ｒ３、Ｒ４、・・・、Ｒｎを設けるようにした例を示す。なお、ＶＲＡＭ４８の記憶領域も液晶モニタ１７に設定される表示領域に対応する領域がそれぞれ設定される。
【００６３】
図９はワイドＬＣＤを備えたデジタルカメラの再生モードにおける液晶モニタ画面の表示状態を示す図である。  
図９（ａ）はアスペクト比１２：９の表示領域Ｒ１に再生した本画像（例えば、図８の２枚目の画像）を表示し、その前後の画像（例えば、図８の１枚目及び３枚目の画像）を両側（表示領域Ｒ２、Ｒ３）に表示した例であり、スクロール操作によりスクロールすることができる。なお、Ｒ２、Ｒ３に表示する画像はＲ１に表示した画像と同サイズの本画像の一部であってもよいし、縦画像として加工した縮小画像でもよい。
【００６４】
図９（ｂ）はアスペクト比１２：９の表示領域Ｒ１に再生した本画像（例えば、図８の２枚目の画像）を表示し、その前後の画像（例えば、図８の１枚目及び３枚目の画像）を右側（表示領域Ｒ２、Ｒ３）に縮小表示した例であり、スクロール操作によりスクロールすることができる。なお、Ｒ２、Ｒ３に表示する画像の縮小比率は異なっていてもよい。また、Ｒ２、Ｒ３に表示する画像はＲ１に表示した画像と同サイズの本画像の一部であってもよいし、サムネイル画像でもよい。
【００６５】
図９（ｃ）はアスペクト比１２：９の表示領域Ｒ１に再生した本画像（例えば、図８の２枚目の画像）を表示し、その前後の画像（例えば、図８（ａ）の１枚目及び３枚目、４枚目、・・・、ｎ枚目の画像）を右側（表示領域Ｒ２、Ｒ３、Ｒ４、・・・）に縮小表示した例であり、スクロール操作によりスクロールすることができる。なお、Ｒ２、Ｒ３、Ｒ４、・・・に表示する画像はサムネイル画像でもよいし、サムネイル画像とは縮小比率の異なる縮小画像をとり混ぜて表示するようにしてもよい。
【００６６】
図１０は本実施形態における再生画像の画面表示動作を説明するためのフローチャートである。このフローチャートはデジタルカメラ１に本願発明のワイドＬＣＤの液晶モニタ画面における再生画像の表示制御を実現させるためのプログラムを説明するためのものである。
【００６７】
以下に示す処理は基本的にＣＰＵ４１が予めプログラムメモリ４２に記憶されたプログラムに従って実行する例で説明するが、全ての機能をプログラムメモリ４２に格納する必要はなく、必要に応じて、その一部若しくは全部をネットワークを介して受信して実現するようにしてもよい。以下、図１〜図１０に基いて説明する。
【００６８】
なお、説明上、データメモリ４３には撮影画像データ及び／または外部画像処理装置から受け取った画像データが図６に示したような形式で記録されているものとし、アスペクト比１６：９のワイド液晶モニタ画面１７の表示領域は図８（ｃ）に示したような表示領域Ｒ１、Ｒ２、Ｒ３、Ｒ４が設定されているものとする。また、表示領域Ｒ１のアスペクト比は１２：９、Ｒ２、Ｒ３、Ｒ４のアスペクト比をそれぞれ４：３とし、残りの部分を余白とする。  
【００６９】
画像再生モードで、ＣＰＵ４１は液晶モニタ１７にデータメモリ４３に記録されている画像を選択可能に再生表示してユーザに画像の選択を促し、ユーザが画像を選択するとステップＳ２に進む。ここで、選択可能に画像を表示する方法は公知の方法でよく、例えば、データメモリ４３に記録されている各フォルダからサムネイル画像を取り出し、液晶モニタ１７に２次元配列表示してカーソル操作により所望の画像を選択させるようにしてもよいし、グループ化された撮影画像またはそのサムネイル画像を液晶モニタ１７に２次元配列表示してカーソル操作により所望の画像を選択させるようにしてもよいし、シーケンシャルにデータメモリ４３から画像を読み出して液晶モニタ１７に順次表示して画像を選択させるようにしてもよい（ステップＳ１）。
【００７０】
次に、ＣＰＵ４１は上記ステップＳ１で選択されたサムネイルからその画像フォルダの本画像データ１０１をデータメモリ４３から取り出して再生し（ステップＳ２）、液晶モニタ１７の表示領域Ｒ１（図８（ｂ））に表示する（ステップＳ３）。
【００７１】
ＣＰＵ４１は上記ステップＳ１で選択された画像フォルダの一つ前（物理的に一つ前の画像フォルダでもよいが、ここでは時間的に選択された画像が撮影された直前に撮影された画像フォルダとする）の画像フォルダの有無を調べ（ステップＳ４）、画像フォルダがある場合はその画像フォルダの縮小データ１０２を取り出して縮小画像を表示領域Ｒ２に表示し、ステップＳ７に進む（ステップＳ５）。また、画像フォルダがない場合は表示領域Ｒ２を黒色表示して（または、白色表示して「画像なし」といった報知メッセージを表示するようにしてもよいし、カラー表示するようにしてもよい）、ステップＳ７に進む（ステップＳ６）。
【００７２】
次に、ＣＰＵ４１は上記ステップＳ１で選択された画像フォルダの一つ後（物理的に一つ後の画像フォルダでもよいが、ここでは時間的に選択された画像が撮影された直後に撮影された画像フォルダとする）の画像フォルダの有無を調べ（ステップＳ７）、画像フォルダがある場合はその画像フォルダの縮小データ１０２を取り出して縮小画像を表示領域Ｒ３に表示してステップＳ１０に進む（ステップＳ８）。また、画像フォルダがない場合は表示領域Ｒ３、Ｒ４を黒色表示して（白色表示して、「画像なし」といった報知メッセージを表示するようにしてもよいし、カラー表示するようにしてもよい）、ステップＳ１３に進む（ステップＳ９）。
【００７３】
ＣＰＵ４１は上記ステップＳ１で選択された画像フォルダの二つ後の画像フォルダの有無を調べ（ステップＳ１０）、画像フォルダがある場合はその画像フォルダの縮小データ１０２を取り出して縮小画像を表示領域Ｒ４に表示してステップＳ１３に進む（ステップＳ１１）。また、画像フォルダがない場合は表示領域Ｒ４を黒色表示して（白色表示して、「画像なし」といった報知メッセージを表示するようにしてもよいし、カラー表示するようにしてもよい）、ステップＳ１３に進む（ステップＳ１２）。
【００７４】
ＣＰＵ４１は操作入力部５０からの信号を調べ（ステップＳ１３）、スクロール操作が行なわれた場合はスクロール表示処理（実施形態２参照）を行ない、ＳＥＴキー１４が押された場合は再生モードを終了する（ステップＳ１４）。
【００７５】
上記図１０のフローチャートに示した表示制御動作により、デジタルカメラ１は、再生時に、記録されている画像の中から選択した画像をワードアスペクト比のモニタ画面の所定のアスペクト比（撮影画像＝本画像のアスペクト比）の領域に表示し、前後の画像をモニタ画面の残りの領域に所定のアスペクト比で表示できるので、ワイドアスペクト比のモニタ画面である液晶モニタ１７の表示領域を有効に活用することができる。また、前後の画像をモニタ画面に表示する際に、予め作成しておいた縮小画像を表示できるので、処理速度を向上することができる。
【００７６】
なお、図１０のフローチャートの説明では表示領域Ｒ２、Ｒ３、Ｒ４には撮影時または記録時に生成され、記録された縮小画像（またはサムネイル）を表示するようにしたが、撮影時または記録時には縮小画像を生成、記録せず、表示時に本画像から縮小画像を生成して表示するようにしてもよい。また、縮小画像の代わりにサムネイルを表示するようにしてもよいし、縮小率の異なる縮小画像を生成して表示するようにしてもよい。
【００７７】
＜変形例＞  
上記図１０のフローチャートの説明では、液晶モニタ１７の表示領域及び大きさは予め設定されているものとしたが、標準設定と、ユーザによる設定あるいは非設定を選択可能に構成してもよい。以下、図１１及び図１２を基に、表示領域の位置および大きさをユーザが選択・設定可能とした例について説明する。なお、以下の説明で、ステップＳ３以降の動作は図１０のフローチャートのステップＳ３以降の動作と同様とする。また、標準設定用の設定値をデータメモリ４３またはプログラムメモリ４２の設定登録領域に記録しているものとする。
【００７８】
図１１は本実施形態における再生画像の画面表示動作の変形例を説明するためのフローチャートである。また、図１２は表示領域設定画面の一実施例を示す図である。以下に示す処理は基本的にＣＰＵ４１が予めプログラムメモリ４２に記憶されたプログラムに従って実行する例で説明するが、全ての機能をプログラムメモリ４２に格納する必要はなく、必要に応じて、その一部若しくは全部をネットワークを介して受信して実現するようにしてもよい。以下、図１〜図９、及び図１１に基いて説明する。
【００７９】
画像再生モードで、ＣＰＵ４１は液晶モニタ１７に表示領域設定の要否を問うメッセージ（例えば、画面に表示する画像の大きさや位置を設定しますか？（イ）設定する、（ロ）ユーザ設定済み、（ハ）設定しない）を表示してユーザにカーソルキー１３の操作による選択を促し（ステップＳ０−１）、ユーザが「（イ）設定する」を選択すると表示領域設定フラグをオン（値＝「１」）にしてステップＳ０−３に進み、「（ロ）既設定でよい」を選択するとステップＳ１に進み、「（ハ）設定しない」を選択すると表示領域設定フラグをオフ（値＝「０」）にしてステップＳ１に進む（ステップＳ０−２）。
【００８０】
表示領域を設定する場合は、ＣＰＵ４１は図１２に示すように、液晶モニタ１７に標準設定用ウインドウ１７１とユーザ設定用ウインドウ１７２を表示し（Ｓ０−３）、標準設定でよいかユーザ設定するかの選択を促し、標準設定が選択された場合はステップＳ０−５に進み、ユーザ設定が選択された場合はステップＳ０−７に進む（ステップＳ０−４）。
【００８１】
標準設定が選択された場合は、ＣＰＵ４１はデータメモリ４３（またはプログラムメモリ４２）に記録されている標準設定値を取り出しＶＲＡＭ４８に標準設定領域Ｒ１、Ｒ２、Ｒ３、Ｒ４を設定し、ステップＳ１に進む（ステップＳ０−５）。
【００８２】
ユーザ設定が選択された場合は、ＣＰＵ４１は液晶モニタ画面１７にカーソル１３１を表示し、ユーザによるカーソル操作を可能としてユーザにカーソルキー１３の操作によりカーソル１３１を移動させて表示領域Ｒ１の移動あるいはその他の余白に表示領域を設定させるようにする。例えば、表示領域Ｒ１はＲ１の右端または左端にカーソル１３１を位置づけてからＳＥＴボタン１４を押し、カーソルキー１３を右（→）移動操作または左（←）移動操作することにより左右に移動させることができる。また、表示領域Ｒ１以外の領域（つまり、余白部分）でカーソル１３１をＲ１の右端または左端、あるいはウインドウ１７２の上端または下端に位置づけて、ＳＥＴボタン１４を２回押してからカーソルキー１３を左右（→）（←）移動操作あるいは上下（↑）（↓）移動操作してカーソル１３１を移動させ、ＳＥＴボタン１４を押すことにより、表示領域Ｒ１以外の領域を分割し、例えば、図８（ａ）や図８（ｂ）に示すように表示領域Ｒ３、Ｒ４を設定することができる。
【００８３】
ＣＰＵ４１は操作入力部５０からの信号を調べ、カーソル操作に応じた領域設定値を取得し（ステップＳ０−７）、ＶＲＡＭ４８にユーザ設定領域を設定し、ステップＳ１に進む（ステップＳ０−８）。
【００８４】
ＣＰＵ４１は液晶モニタ１７にデータメモリ４３に記録されている画像を選択可能に再生表示してユーザに画像の選択を促し、ユーザが画像を選択するとステップＳ２−１に進む。ここで、選択可能に画像を表示する方法は公知の方法でよく、例えば、データメモリ４３に記録されている各フォルダからサムネイル画像を取り出し、液晶モニタ１７に２次元配列表示してカーソル操作により所望の画像を選択させるようにしてもよいし、グループ化された撮影画像またはそのサムネイル画像を液晶モニタ１７に２次元配列表示してカーソル操作により所望の画像を選択させるようにしてもよいし、シーケンシャルにデータメモリ４３から画像を読み出して液晶モニタ１７に順次表示して画像を選択させるようにしてもよい（ステップＳ１）。
【００８５】
次に、ＣＰＵ４１は上記ステップＳ１で選択されたサムネイルからその画像フォルダの本画像データ１０１をデータメモリ４３から取り出して再生し（ステップＳ２−１）、標準設定による表示領域またはユーザ設定による表示領域が設定されているか否か（設定されているなら表示領域設定フラグはオン、設定されていなければオフ）を調べ、表示領域が設定されている場合はステップＳ２−３に進み、設定されていない場合はステップＳ２−７に進む（ステップＳ２−２）。
【００８６】
表示領域が設定されている場合は、ＣＰＵ４１は標準設定かユーザ設定かを調べ、標準設定の場合はステップＳ３に進み、ユーザ設定の場合はステップＳ２−４に進む（ステップＳ２−３）。
【００８７】
ユーザ設定の場合は、設定された表示領域（表示領域Ｒ１以外）の大きさを調べ、表示領域の大きさに合わせて縮小画像を拡大／縮小するための倍率を表示領域Ｒ１以外の表示領域ごとに決定し（ステップＳ２−４）、表示領域Ｒ１に上記ステップＳ２−１で再生された本画像を表示し（ステップＳ２−５）、ついで、Ｒ１以外の表示領域にそれぞれの表示領域ごとの拡大／縮小倍率で縮小画像を拡大／縮小した画像（つまり、加工後の縮小画像）を表示し（縮小画像の取り出しや表示方法は図１０に示したフローチャートのステップＳ３〜Ｓ１２に準ずる）、ステップＳ１３（図１０）に進む（ステップＳ２−６）
【００８８】
表示領域が設定されなかった場合は、ワイドな液晶モニタ１７のワイドアスペクト比１６：９の表示領域の中央部分に上記ステップＳ２−１で再生した画像を１２：９のアスペクト比で表示し（ステップＳ２−７）、両側の余白部分は黒色表示して表示処理を終了する（ステップＳ２−８）。
【００８９】
上記図１１のフローチャートに示した動作により、ユーザはモニタ画面１７の余白に任意に小さな表示領域を設定して再生時に、記録されている画像の中から選択した画像を表示するときに前後の画像も表示させることができるので、ワイドアスペクト比のモニタ画面である液晶モニタ１７の表示領域を有効に活用することができる。また、ワイドアスペクト比のモニタ画面の領域を有効に活用することによって前後の画像を確認しながら再生を行い、所望の画像を探したりすることができる。
【００９０】
図１２は表示領域設定画面の一実施例を示す図であり、符号１７１は標準設定用ウインドウ、符号１７２はユーザ設定用ウインドウ、符号１７２は標準設定選択欄、符号１７３はユーザ設定選択欄、符号１３１はカーソルである。  
標準設定用ウインドウ１７１には図８（ｃ）に示したアスペクト比１２：９の表示領域Ｒ１とアスペクト比４：３の表示領域Ｒ２が表示されている。ユーザがカーソルキー１３を操作して標準設定選択欄１７３にカーソル１３１を位置づけてＳＥＴボタン１４を押すと標準設定が選択される。  
ユーザ設定用ウインドウ１７２には本画像用表示領域Ｒ１が中央に表示され、左右はユーザによる表示領域が設定される余白部分としてカラー表示されている。ユーザがカーソルキー１３を操作して標準設定選択欄１７３にカーソル１３１を位置づけてＳＥＴボタン１４を押すとユーザ設定が選択される（図１１のステップＳ０−４→Ｓ０−６の経路参照）。
【００９１】
（実施形態２）  
本実施形ではデジタルカメラ１のワイドアスペクト比のモニタ画面に表示された複数の画像のスクロール操作の例及びスクロール画像表示例について述べる。  
デジタルカメラ１は図１〜図６に示した構成及び機能を有し、ワイドアスペクト比１６：９の画面を分割して複数の画像を表示しており、上下左右キーによって画像をスクロールするものであって、上下方向にスクロール操作すると画面上で上下方向に順に表示されている複数の画面間でスクロールを行い、左右方向にスクロール操作すると画面上で左右方向に順に表示されている複数の画面間でスクロールを行う。
【００９２】
図１３はワイドアスペクト比の液晶モニタ画面１７の分割表示領域および画像スクロールの一実施例を示す図である。  
図１３（ａ）は５番目の画像を選択した例（図１０のステップＳ１参照）であり、５番目の画像の本画像が分割表示領域Ｒａに表示され、６、７、８番目の画像の縮小画像が分割表示領域Ｒｂに表示されている。
【００９３】
図１３（ａ）で、ユーザがカーソルキー１３を操作して左を指定すると図１３（ｂ）に示すように左から右に画面がスクロールし、左側に２、３、４番目の画像の縮小画像を表示した分割表示領域Ｒｃが現れる。また、図１３（ａ）で、ユーザがカーソルキー１３を操作して右を指定すると図１３（ｃ）に示すように６、７、８番目の画像の縮小画像を表示した右側の分割表示領域Ｒｂがスクロール可能となる。
【００９４】
図１３（ｃ）で、ユーザがカーソルキー１３を操作して上を指定すると図１３（ｅ）に示すように分割表示領域Ｒｂが上方にスクロールし、５、６、７番目の画像の縮小画像が分割表示領域Ｒｂに表示される。
【００９５】
図１３（ｅ）で、ユーザがカーソルキー１３を操作して左を指定すると図１３（ｆ）に示すように分割表示領域Ｒｂが下方にスクロールし、６、７、８番目の画像の縮小画像が分割表示領域Ｒｂに表示される。また、図１３（ｅ）で、ユーザがカーソルキー１３を操作して右を指定すると図１３（ｇ）に示すように画面が左から右にスクロールし、左側に５、６、７番目の画像の縮小画像を表示した分割表示領域Ｒｃが現れる。
【００９６】
なお、上記図１３の説明では、Ｒａ、Ｒｃに表示する画像は図６に示した画像フォルダ１００の縮小画像１０２としたが、Ｒｂ、Ｒｃに表示する画像はＲａに表示した画像と同サイズの本画像の一部であってもよいし、横画像として加工した縮小画像でもよいし、サムネイル画像１０３（図６）でもよい。
【００９７】
図１４は、ワイドアスペクト比の液晶モニタ画面の分割表示領域および画像スクロールの他の実施例を示す図である。  
図１４（ａ）は５番目の画像を選択した例（図１０のステップＳ１参照）であり、５番目の画像の本画像が分割表示領域Ｒａに表示され、６、７、８番目の画像の縮小画像が分割表示領域Ｒｂに表示されている。
【００９８】
図１４（ａ）で、ユーザがカーソルキー１３を操作して左を指定すると図１４（ｂ）に示すように表示領域Ｒａの左側に４番目の画像の一部（部分画像）を表示した分割表示領域Ｒｃが表示され、右側に６番目の画像の一部（部分画像）を表示した分割領域Ｒｂが表示される。また、図１４（ａ）で、ユーザがカーソルキー１３を操作して右を指定すると図１４（ｃ）に示すように画面が右から左にスクロールし、分割表示領域Ｒｃに番目の画像の一部が表示され、表示領域Ｒａに６番目の画像が表示され、分割表示領域Ｒｂに７番目の画像の一部が表示される。
【００９９】
なお、上記図１４の説明では、Ｒｂ、Ｒｃに表示する画像は図６に示した画像フォルダ１００の本画像１０１の一部としたが、本画像を横画像として加工した縮小画像でもよい。
【０１００】
また、上記図１３、図１４の説明では表示領域Ｒａ、Ｒｂ、Ｒｃには撮影時または記録時に生成され、記録された縮小画像（またはサムネイル）を表示するようにしたが、撮影時または記録時には縮小画像を生成、記録せず、表示時に本画像から縮小画像を生成して表示するようにしてもよい。また、縮小画像の代わりにサムネイルを表示するようにしてもよいし、縮小率の異なる縮小画像を生成して表示するようにしてもよい。
【０１０１】
（実施形態３）  
図１５は本発明を適用したカメラ付き携帯電話２００の蓋を開いた状態の正面図に相当する外観図である。  
図示のように蓋部２０２は本体部２０３に対し第１ヒンジ部２０１を回転軸として開閉可能に配置されているほか、第２ヒンジ部２１２を軸（図示せず）に回転軸として矢印βに示すように回転可能になっている。また、符号２０６は表示部を示す。  
また、符号２０９はシャッターキー、符号２８５は再生モードキー、符号２８３は撮影モードキー、符号２８１はカーソルキー（上下左右方向移動ボタン）、符号２８２は決定キー、符号２８４は本体側面に設けられたズームキーを示す。
【０１０２】
カメラ付き携帯電話２００のカメラ部分に係わる内部回路及び動作については、上記実施形態１と同様であるので省略する。  
しかして、表示部２０６は１６：９のワイドアスペクト比の画像を表示可能な４２８×２４０ドットの液晶モニタ画面を備えている。１２：３のアスペクト比の画像を表示するときは３２０×２４０ドットの表示領域を用いる。３２０×２４０画素の１２：９のアスペクト比の領域に本画像を表示し、残りの１４４×１０８画素の４：３のアスペクト比の領域に表示されている本画像の前後の画像の縮小画像を表示領域を示す枠とともに表示することができる。
【０１０３】
以上、本発明のいくつかの実施例について説明したが本発明は上記各実施例に限定されるものではなく、種々の変形実施が可能であることはいうまでもない。
【図面の簡単な説明】
【０１０４】
【図１】デジタルカメラの外観図であり、図１（ａ）、（ｂ）は、デジタルカメラの正面図及び背面図、図１（ｃ）は、デジタルカメラの底面側斜視図である。
【図２】デジタルカメラの内部ブロック図である。
【図３】撮像素子から表示モニタ画面までのデータの流れを示す図である。
【図４】液晶モニタ画面の画素配列を示す図であり、図４（ａ）はデルタ配列の例、図４（ｂ）はストライプ配列の例を示す。
【図５】画像メモリ及び表示バッファの一例を示す図である。
【図６】ＣＦ若しくはＨＤＤに保存される画像データの状態を示す図である。
【図７】従来技術による再生画像表示方法の一実施例を示す図である。
【図８】ワイドＬＣＤを備えたデジタルカメラの液晶モニタ画面上に設定した表示領域の実施例のいくつかを示す図である。
【図９】ワイドＬＣＤを備えたデジタルカメラの再生モードにおける液晶モニタ画面の表示状態を示す図である。
【図１０】実施形態１における再生画像の画面表示動作を説明するためのフローチャートである。
【図１１】実施形態１における再生画像の画面表示動作の変形例を説明するためのフローチャートである。
【図１２】表示領域設定画面の一実施例を示す図である。
【図１３】ワイドアスペクト比の液晶モニタ画面の分割表示領域および画像スクロールの一実施例を示す図である。
【図１４】ワイドアスペクト比の液晶モニタ画面の分割表示領域および画像スクロールの変形例を示す図である。
【図１５】本発明をカメラ付き携帯電話に適用した場合の実施の態様を示す図である。
【符号の説明】
【０１０５】
１      デジタルカメラ
３      ズームレンズ
１１    ズームキー（拡大縮小キー）
１３    カーソルキー
１７    液晶モニタ画面（ワイドアスペクト比のモニタ画面、表示する手段）
２０    記憶媒体（記憶する手段）
２１    音声入力系
２２    撮像系
２３    制御系
２４    音声出力系
２５    画像ファイル記憶系
２６    表示系（表示する手段）
２７    操作系
３２    撮影レンズ群
３３    電子撮像部
３４    映像処理部
３５    画像メモリ
４０    撮影制御部
４１    ＣＰＵ（制御手段、再生する手段）
４３    データメモリ
４８    ＶＲＡＭ（ビデオメモリ）
１００  画像のフォルダ
１０１  本画像
１０２  縮小画像
１０３  サムネイル
２００  カメラ付き携帯電話
２０６  表示部
２８１  カーソルキー
２８４  ズームキー
【図１】
2006211078.tif 000003
【図２】
2006211078.tif 000004
【図３】
2006211078.tif 000005
【図４】
2006211078.tif 000006
【図５】
2006211078.tif 000007
【図６】
2006211078.tif 000008
【図７】
2006211078.tif 000009
【図８】
2006211078.tif 000010
【図９】
2006211078.tif 000011
【図１０】
2006211078.tif 000012
【図１１】
2006211078.tif 000013
【図１２】
2006211078.tif 000014
【図１３】
2006211078.tif 000015
【図１４】
2006211078.tif 000016
【図１５】
2006211078.tif 000017